(57)【要約】【課題】通信回線を介して外部端末に映像コンテンツを配信する映像配信装置において、待機時の消費電力が少ない映像配信装置の提供を目的とする。【解決手段】外部端末と所定のネットワークを介して接続を行う第１のＣＰＵによって、映像コンテンツをトランスコード可能で、前記第１のＣＰＵよりも高消費電力な第２のＣＰＵの起動管理を行う。【選択図】図１
2013123149.tif 000002
【特許請求の範囲】
【請求項１】
外部端末から映像視聴要求を受けて映像の配信を行う映像配信装置であって、
前記外部端末と所定のネットワークを介して接続を行う第１のＣＰＵと、
映像コンテンツをトランスコード可能で、前記第１のＣＰＵよりも高消費電力な第２のＣＰＵと、
を備え、
前記第１のＣＰＵによって、前記第２のＣＰＵの起動管理を行うことを特徴とする、
映像配信装置。
【請求項２】
前記映像配信装置は、
前記外部端末から前記映像視聴要求を受信した前記第１のＣＰＵによって、前記第２のＣＰＵの起動管理を行うことを特徴とする、
請求項１に記載の映像配信装置。
【請求項３】
前記所定のネットワークは無線ＬＡＮであり、
前記第１のＣＰＵは、前記外部端末と前記無線ＬＡＮによる通信を行う無線ＬＡＮインターフェースを備え、
前記外部端末の前記無線ＬＡＮへの帰属状態に応じて、前記第１のＣＰＵによって、前記第２のＣＰＵの起動管理を行うことを特徴とする、
請求項１に記載の映像配信装置。
【請求項４】
前記第１のＣＰＵは、前記所定のネットワークに接続されたＤＨＣＰサーバを備え、
前記ＤＨＣＰサーバによる、前記外部端末へのＩＰアドレスの払い出し状態に応じて、前記第１のＣＰＵによって、前記第２のＣＰＵの起動管理を行うことを特徴とする、
請求項１に記載の映像配信装置。
【請求項５】
前記映像配信装置は、
アドレス解決プロトコル（ＡＲＰ）による、前記外部端末のＭＡＣアドレスの、前記第１のＣＰＵへの登録状態に応じて、前記第１のＣＰＵによって、前記第２のＣＰＵの起動管理を行うことを特徴とする、
請求項１に記載の映像配信装置。
【発明の詳細な説明】
【技術分野】
【０００１】
本発明は、外部端末から映像視聴要求を受けて映像の配信を行う映像配信装置に関し、特に、配信先の外部端末の対応する映像フォーマットに映像を変換する、トランスコード機能を有する映像配信装置に関するものである。
【背景技術】
【０００２】
従来の、外部端末に映像コンテンツを配信する映像配信装置は、例えば、外部端末からの映像視聴要求に対する応答速度を向上させることを目的として、外部端末の接続を検出することにより、事前にユーザの好みに合ったコンテンツリストを生成するものが知られている（例えば、特許文献１参照）。
【０００３】
また、同様に応答速度向上のため、あらかじめ外部端末に対応したフォーマットに映像コンテンツをトランスコードして、映像配信装置内部の記憶領域に記憶を行うものもある（例えば、特許文献２参照）。
【先行技術文献】
【特許文献】
【０００４】
【特許文献１】特開２０１０−２５７３５５号公報
【特許文献２】特開２００９−１８８６９０号公報
【発明の概要】
【発明が解決しようとする課題】
【０００５】
上述した従来の映像配信装置は、高度な演算を要する、映像コンテンツのトランスコード等を実施するＣＰＵを備えている。そして、外部端末からの映像視聴要求を受付可能とするためには、この消費電力の高いＣＰＵを常時起動させる必要があり、待機時の消費電力が高くなるという課題があった。
【０００６】
そこで、本発明は以上のような課題を解決するためになされたものであり、待機時の消費電力を低く抑えることを可能とした映像配信装置を提供することを目的とする。
【課題を解決するための手段】
【０００７】
本発明に係る映像配信装置は、外部端末から映像視聴要求を受けて映像の配信を行う映像配信装置であって、外部端末と所定のネットワークを介して接続を行う第１のＣＰＵと、映像コンテンツをトランスコード可能で、第１のＣＰＵよりも高消費電力な第２のＣＰＵとを備え、第１のＣＰＵによって、第２のＣＰＵの起動管理を行うことを特徴とする。
【発明の効果】
【０００８】
本発明によれば、第１のＣＰＵよりも高消費電力な第２のＣＰＵの起動制御を、第１のＣＰＵによって行う。このため、待機時は第１のＣＰＵのみが起動し、必要な場合には第１のＣＰＵによって、第２のＣＰＵが起動されるので、待機時の電力を削減する効果がある。
【図面の簡単な説明】
【０００９】
【図１】実施の形態１に係る映像配信装置の機能構成を示す図である。
【図２】実施の形態１に係る映像配信装置の動作を示す図である。
【図３】実施の形態２に係る映像配信装置の機能構成を示す図である。
【図４】実施の形態２に係る映像配信装置の動作を示す図である。
【発明を実施するための形態】
【００１０】
＜実施の形態１＞
＜構成＞
図１は、本実施の形態の映像配信装置の機能構成を示す図である。本実施の形態では、所定のネットワークとして、携帯電話網及びインターネット網１０２を考える。外部端末１０１から映像視聴要求を受信した映像配信装置１０３は、携帯電話網及びインターネット網１０２を介して、外部端末１０１に映像コンテンツを配信する。ここで、外部端末１０１は、例えば、携帯情報端末である。
【００１１】
映像配信装置１０３は、デジタルテレビチューナー１２４を通じて映像コンテンツを受信し、トランスコードを行う映像処理部１２０と、映像処理部１２０の起動管理を行う通信制御部１１０から構成される。
【００１２】
通信制御部１１０と映像処理部１２０は、それぞれに備わるＬＡＮインターフェース部１１３、１２１を介して相互に接続されている。
【００１３】
後述する、通信制御部１１０の機能は、第１のＣＰＵによって実現される。また、後述する、映像処理部１２０の機能は、第１のＣＰＵよりも消費電力の高い第２のＣＰＵによって実現される。
【００１４】
通信制御部１１０は、前述したＬＡＮインターフェース部１１３の他に、携帯電話網及びインターネット網１０２に接続するためのＷＡＮインターフェース部１１１と、外部端末１０１のウエブブラウザからのＨＴＴＰアクセスに対するＨＴＴＰプロトコルの終端を行うためのＨＴＴＰサーバ１１２と、ＷＡＮインターフェース部１１１とＨＴＴＰサーバ１１２を介して外部端末１０１から映像視聴要求を受け付け、映像処理部１２０の起動制御を行う起動管理部１１４を備える。
【００１５】
映像処理部１２０は、前述したＬＡＮインターフェース部１２１の他に、起動管理部１１４より外部端末１０１に対応したフォーマットなどの設定値を受信し、映像処理部１２０の制御を行う映像配信制御部１２２と、フルセグ地上デジタルテレビ放送の受信及びデコードを行うデジタルテレビチューナー１２４と、デジタルテレビチューナー１２４にて受信した映像コンテンツを映像配信制御部１２２から設定されたフォーマットにトランスコードを行う、トランスコード部１２３を備える。
【００１６】
＜動作＞
次に、本実施の形態に係る映像配信装置１０３の動作について、図２を用いて詳細に説明する。図２は、外部端末１０１が映像配信装置１０３に映像視聴要求を出してから、外部端末１０１において映像コンテンツの視聴が可能となるまでの過程を示す図である。
【００１７】
まず、外部端末１０１は、起動管理部１１４とのセッションを以下の手順で確立させる。外部端末１０１は、ＷＡＮインターフェース部１１１のグローバルＩＰアドレスに、携帯電話網及びインターネット網１０２を介してＨＴＴＰによるアクセスを行う。外部端末１０１からのＨＴＴＰ  ＧＥＴのリクエストを受信したＷＡＮインターフェース部１１１は、ＨＴＴＰサーバ１１２を介して起動管理部１１４とのセッションを確立させる。
【００１８】
次に、ステップＳ１−１として、外部端末１０１は起動管理部１１４から提供されるＷｅｂＧＵＩにより、通信制御部１１０に対して映像視聴要求を行う。即ち、映像処理部１２０の起動／停止要求、視聴する映像コンテンツ、配信する映像コンテンツのファイル形式、画像サイズ、画質などの設定を行い、設定情報を起動管理部１１４に通知する。
【００１９】
起動管理部１１４は、外部端末１０１から起動要求を受信した場合、起動管理部１１４内部で保持する映像処理部１２０の起動状態を確認する。映像処理部１２０が停止状態にある場合には、ステップＳ１−２として、起動管理部１１４は、ＬＡＮインターフェース部１２１に対してマジックパケットを送信する。
【００２０】
ＬＡＮインターフェース部１２１がマジックパケットを受信すると、Ｗaｋｅ−ｏｎ−ＬＡＮの機能を用いて、映像処理部１２０の機能を実現する第２のＣＰＵ及びＯＳが起動される（ステップＳ１−３）。
【００２１】
なお、映像処理部１２０の起動状態を確認する手段として、ＬＡＮインターフェース部１１３に問い合わせを行い、映像処理部１２０に対して、ＤＨＣＰなどによるＩＰアドレスの払い出しを行っている場合を起動状態とすることも含める。
【００２２】
次に、ステップＳ１−４として、起動管理部１１４からのマジックパケットで起動した映像処理部１２０は、映像配信制御部１２２より起動管理部１１４に対して、起動完了の通知を行う。
【００２３】
次に、ステップＳ１−５として、起動管理部１１４は、映像配信制御部１２２に対して、視聴する映像コンテンツ、配信する映像コンテンツのファイル形式、画像サイズ、画質の設定などのトランスコードに必要な設定情報を通知する。
【００２４】
上記設定情報の通知を受信した映像配信制御部１２２は、受信応答を起動管理部１１４に返信する（ステップＳ１−６）。
【００２５】
また、映像配信制御部１２２は、トランスコード部１２３とデジタルテレビチューナー１２４を起動し、受信した設定情報に基づいて、視聴する映像コンテンツをデジタルテレビチューナー１２４に、その他の情報をトランスコード部１２３に設定する。
【００２６】
最後に、ステップＳ１−７として、トランスコード部１２３は、デジタルテレビチューナー１２４よりデジタルテレビコンテンツを受信し、設定情報に基づきトランスコードを行い、データを外部端末１０１に送信する。以上の処理によって、外部端末１０１にて映像コンテンツの視聴が可能となる。
【００２７】
外部端末１０１において視聴が停止された場合は、外部端末１０１から起動管理部１１４に対して、映像処理部１２０の停止要求が送信される。これを受けて起動管理部１１４は、映像配信制御部１２２に映像コンテンツの配信停止を通知する。
【００２８】
起動管理部１１４は、ＬＡＮインターフェース部１２１に対してＷaｋｅ−ｏｎ−ＬＡＮのマジックパケットを送信することにより、映像処理部１２０の機能を実現する第２のＣＰＵを停止するとともに、内部で保持する映像処理部１２０の起動状態を更新する。
【００２９】
＜効果＞
本実施の形態に係る映像配信装置１０３は、外部端末１０１から映像視聴要求を受けて映像の配信を行う映像配信装置１０３であって、外部端末１０１と携帯電話網及びインターネット網１０２を介して接続を行う第１のＣＰＵによって機能が実現される通信制御部１１０と、映像コンテンツをトランスコード可能で、前記第１のＣＰＵよりも高消費電力な第２のＣＰＵによって機能が実現される映像処理部１２０とを備え、第１のＣＰＵによって、前記第２のＣＰＵの起動管理を行うことを特徴とする。従って、第１のＣＰＵよりも消費電力の大きい第２のＣＰＵを常時起動させておく必要が無いので、待機時の消費電力を削減する効果が期待される。さらに、外部端末１０１と映像配信装置１０３は、携帯電話網及びインターネット網１０２を介して接続を行うので、外部端末１０１を利用するユーザは、宅外から映像の視聴が可能である。
【００３０】
また、本実施の形態に係る映像配信装置１０３は、外部端末１０１から映像視聴要求を受信した第１のＣＰＵによって、第２のＣＰＵの起動管理を行うことを特徴とする。従って、第１のＣＰＵが映像視聴要求を受信した場合にのみ、第１のＣＰＵよりも消費電力の大きい第２のＣＰＵが起動されるので、第２のＣＰＵは、その機能が必要な場合にのみ起動される。よって、待機時の消費電力をより削減する効果が期待できる。
【００３１】
＜実施の形態２＞
＜構成＞
図３は、本実施の形態に係る映像配信装置の機能構成を示す図である。実施の形態１においては、携帯電話網及びインターネット網１０２を介して通信を行うが、本実施の形態では、所定のネットワークとして、無線ＬＡＮ２０２を介して通信を行う。
【００３２】
また、本実施の形態では、通信制御部２１０において、図１におけるＷＡＮインターフェース部１１１とＬＡＮインターフェース部１１３に替わって、無線ＬＡＮ２０２と接続し、映像処理部１２０のＬＡＮインターフェース部１２１と通信を行う、無線ＬＡＮインターフェース部２１１が備わる。
【００３３】
また、ＨＴＴＰサーバ１１２に替わって、外部端末１０１にＩＰアドレスの払い出しを行うＤＨＣＰサーバ２１２が備わる。
【００３４】
それ以外の構成は実施の形態１と同じであるので、説明を省略する。
【００３５】
＜動作＞
本実施の形態に係わる映像配信装置２０３の動作について、図４を用いて詳細に説明する。図４は、映像配信装置２０３から外部端末１０１へ映像が配信されるまでの過程を示す図である。
【００３６】
まず、ステップＳ２−１として、外部端末１０１は、通信制御部２１０に接続するために、無線ＬＡＮインターフェース部２１１に対して無線ＬＡＮによるセッション確立の要求を行う。無線ＬＡＮインターフェース部２１１は、外部端末１０１との間でセッションの確立を行うと、ステップＳ２−２として、外部端末１０１との間でセッションが確立したこと、即ち外部端末１０１が無線ＬＡＮ２０２に在圏することを意味する、在圏通知を起動管理部１１４に対して行う。
【００３７】
また、外部端末１０１は、ＤＨＣＰサーバ２１２にＤＨＣＰ  ＤＩＳＣＯＶＥＲの送信を行い、ＤＨＣＰサーバ２１２は、ＤＨＣＰ  ＯＦＦＥＲを返信する。それに応答して、外部端末１０１はＤＨＣＰ  ＲＥＱＵＥＳＴを送信し、ＤＨＣＰサーバ２１２はＤＨＣＰ  ＡＣＫを返信する。以上の一連の手続きにより、ＤＨＣＰサーバ２１２は、外部端末１０１に対してＩＰアドレスの払い出しを実施する（ステップＳ２−３〜Ｓ２−６）。
【００３８】
外部端末１０１へのＩＰアドレスの払い出しが完了すると、ステップＳ２−７として、ＤＨＣＰサーバ２１２は、ＩＰアドレス払い出し完了を起動管理部１１４に通知する。
【００３９】
起動管理部１１４は、無線ＬＡＮインターフェース部２１１から、外部端末１０１の在圏通知を受けると、起動管理部１１４内部で保持する映像処理部１２０の起動状態を確認する。映像処理部１２０が停止状態の場合には、ＬＡＮインターフェース部１２１にマジックパケットを送信することにより、Ｗaｋｅ−ｏｎ−ＬＡＮの機能を用いて、映像処理部１２０の機能を実現する第２のＣＰＵ及びＯＳの起動を行う（ステップＳ２−８、Ｓ２−９）。次いで、ステップＳ２−１０として、起動した映像処理部１２０は、起動管理部１１４に起動完了の通知を行う。
【００４０】
次に、ステップＳ２−１１として、外部端末１０１は、起動管理部１１４から提供されるＷｅｂＧＵＩにより、通信制御部２１０に対して映像視聴要求を行う。即ち、視聴する映像コンテンツ、配信する映像コンテンツのファイル形式、画像サイズ、画質のなどの設定を行い、設定情報を起動管理部１１４に通知する。
【００４１】
これを受けて、ステップＳ２−１２として、起動管理部１１４は、映像配信制御部１２２に、視聴する映像コンテンツ、配信する映像コンテンツのファイル形式、画像サイズ、画質の設定など、映像コンテンツのトランスコードに必要な設定情報を通知する。
【００４２】
設定情報の通知を受信した映像配信制御部１２２は、受信応答を起動管理部１１４に返信するとともに、トランスコード部１２３とデジタルテレビチューナー１２４を起動し、受信した設定情報について、視聴する映像コンテンツをデジタルテレビチューナー１２４に、その他の情報をトランスコード部１２３に設定する。また、映像配信制御部１２２は、上記設定情報の設定が完了したことを、起動管理部１１４に通知し、通知を受けた起動管理部１１４は外部端末１０１に同様の通知を行う（ステップＳ２−１３、Ｓ２−１４）。
【００４３】
最後に、ステップＳ２−１５として、トランスコード部１２３は、デジタルテレビチューナー１２４よりデジタルテレビコンテンツを受信し、設定情報に基づきトランスコードを行い、データを外部端末１０１に送信する。以上の処理によって、外部端末１０１にて映像コンテンツの視聴が可能となる。
【００４４】
また、無線ＬＡＮインターフェース部２１１が、すべての外部端末１０１が無線ＬＡＮ２０２の圏外となることを検出すると、起動管理部１１４は、外部端末１０１において視聴が停止されたと判断し、映像配信制御部１２２に対して映像コンテンツの配信停止を通知する。
【００４５】
映像配信制御部１２２から配信停止応答を受信した起動管理部１１４は、Ｗaｋｅ−ｏｎ−ＬＡＮ機能を用いて、ＬＡＮインターフェース部１２１に対してマジックパケットを送信することにより、映像処理部１２０の機能を実現する第２のＣＰＵを停止するとともに、内部で保持する映像処理部１２０の起動状態を更新する。
【００４６】
＜効果＞
本実施の形態に係る映像配信装置２０３は、無線ＬＡＮ２０２を介して外部端末１０１と通信を行い、第１のＣＰＵによって実現される通信制御部２１０は、外部端末１０１と無線ＬＡＮ通信を行う無線ＬＡＮインターフェース部２１１を備え、外部端末１０１の無線ＬＡＮ２０２への帰属状態に応じて、第１のＣＰＵによって、映像処理部１２０の機能を実現する第２のＣＰＵの起動管理を行うことを特徴とする。
【００４７】
従って、外部端末１０１が無線ＬＡＮ２０２に帰属する場合にのみ第２のＣＰＵが起動するため、消費電力を削減する効果がある。また、第１のＣＰＵは、映像視聴要求を受信する前の段階、即ち外部端末１０１が無線ＬＡＮ２０２に接続した段階で、映像のトランスコードを行う第２のＣＰＵを起動させるため、外部端末１０１からの映像視聴要求に対する応答速度を向上させる効果を得ることができる。さらに、無線ＬＡＮ２０２を介して接続を行うため、外部端末１０１を利用するユーザは、宅外から映像の視聴が可能である。
【００４８】
＜実施の形態３＞
本実施の形態に係る映像配信装置の機能構成は、実施の形態２で説明した構成、即ち図３と同じであるので、説明を省略し、本実施の形態においても、図３を用いて説明する。
【００４９】
また、本実施の形態に係る映像配信装置２０３の動作は、映像処理部１２０の機能を実現する第２のＣＰＵを起動させるタイミングを除いて、実施の形態２と同じであるので、同じ部分については説明を省略する。
【００５０】
本実施の形態では、図４において、ステップＳ２−７のＩＰアドレスの払い出し完了をもって、映像処理部１２０の起動状態の確認及び映像処理部１２０の機能を実現する第２のＣＰＵの起動を行う。
【００５１】
本実施の形態に係る映像配信装置２０３において、第１のＣＰＵによって実現される通信制御部２１０は、無線ＬＡＮ２０２に接続されたＤＨＣＰサーバ２１２を備え、ＤＨＣＰサーバ２１２による、外部端末１０１へのＩＰアドレスの払い出し状態に応じて、第１のＣＰＵによって、第２のＣＰＵの起動管理を行うことを特徴とする。従って、本実施の形態の映像配信装置２０３は、実施の形態２に係る映像配信装置２０３と同様の効果を得ることができる。
【００５２】
＜実施の形態４＞
本実施の形態に係る映像配信装置の機能構成は、実施の形態２で説明した構成、即ち図３と同じであるので、説明を省略し、本実施の形態においても、図３を用いて説明する。
【００５３】
また、本実施の形態に係る映像配信装置２０３の動作は、映像処理部１２０を実現する第２のＣＰＵを起動させるタイミングを除いて、実施の形態２と同じであるので、同じ部分については説明を省略する。
【００５４】
図４のステップＳ２−７におけるＩＰアドレスの払い出し完了後の処理を説明すると、ステップＳ２−７に続いて、通信制御部２１０は、アドレス解決プロトコル（ＡＲＰ）を用いて、外部端末１０１のＭＡＣアドレスの登録を行い、データ転送の準備が完了する。ここで、ＡＲＰとは、クライアント（即ち、外部端末１０１）のＩＰアドレスを基にして、クライアントのＭＡＣアドレスを取得する手段である。
【００５５】
本実施の形態では通信制御部２１０を実現する第１のＣＰＵへの、外部端末１０１のＭＡＣアドレスの登録をもって、映像処理部１２０の起動状態の確認及び映像処理部１２０の機能を実現する第２のＣＰＵの起動を行う。
【００５６】
本実施の形態に係る映像配信装置２０３は、ＡＲＰによる、外部端末１０１のＭＡＣアドレスの、第１のＣＰＵへの登録状態に応じて、第１のＣＰＵによって、第２のＣＰＵの起動管理を行うことを特徴とする。従って、本実施の形態の映像配信装置２０３は、実施の形態２の映像配信装置２０３と同様の効果を得ることができる。
【００５７】
なお、本発明は、その発明の範囲内において、各実施の形態を自由に組み合わせたり、各実施の形態を適宜、変形、省略することが可能である。
【符号の説明】
【００５８】
１０１  外部端末、１０２  携帯電話網及びインターネット網、１０３、２０３  映像配信装置、１１０、２１０  通信制御部、１１１  ＷＡＮインターフェース部、１１２  ＨＴＴＰサーバ、１１３、１２１  ＬＡＮインターフェース部、１１４  起動管理部、１２０  映像処理部、１２２  映像配信制御部、１２３  トランスコード部、１２４  デジタルテレビチューナー、２０２  無線ＬＡＮ、２１１  無線ＬＡＮインターフェース部、２１２  ＤＨＣＰサーバ。
【図１】
2013123149.tif 000003
【図２】
2013123149.tif 000004
【図３】
2013123149.tif 000005
【図４】
2013123149.tif 000006